(57)【特許請求の範囲】
【請求項１】
部品実装装置の動作状態をモニタリングするための部品実装システムにおいて、
はんだが塗布された基板の測定を通じて獲得した前記はんだの第１座標に関する座標情報を基準座標情報と比較して補正された座標補正データである第２座標を生成し、前記第２座標を部品実装装置で伝送するはんだ検査装置と、
部品実装装置で前記座標補正データに基づいて前記第２座標に部品を実装し、前記部品が実装された以降の過程で、前記部品の実装状態を測定した第１測定データと前記はんだ検査装置で補正されて伝送された前記座標補正データを比較して、実装された部品が前記座標補正データによる補正位置である前記第２座標に実装されているかを検証して前記部品実装装置の動作状態をモニタリングする第１実装検査装置と、を含み、
前記検証の後に、前記座標補正データは、前記検証の結果のデータをもとに修正され第３座標を生成し、修正された前記第３座標は、前記部品実装装置に送信される、
ことを特徴とする部品実装システム。
【請求項２】
前記部品実装システムは、
リフローされた部品の実装状態を測定した第２測定データ、前記座標補正データ及び前記第１測定データを比較して、リフローによる前記はんだ及び前記部品の座標変更情報を検証する第２実行検査装置をさらに含むことを特徴とする請求項１に記載の部品実装システム。
【請求項３】
部品実装装置の動作状態をモニタリングするための部品実装システムにおいて、
はんだが塗布された基板の測定を通じて獲得した前記はんだの第１座標に関する座標情報を基準座標情報と比較して補正された座標補正データである第２座標を生成し、前記第２座標を部品実装装置で伝送するはんだ検査装置と、
前記座標補正データに基づいて前記第２座標に部品を実装して、前記部品の実装状態を検査して第１測定データを生成する前段実装検査装置と、
前記部品が実装された以降の過程で、前記はんだ検査装置で補正されて伝送された前記座標補正データ及び前記部品の実装状態を測定した前記第１測定データを比較して実装された部品が前記第２座標による補正位置に実装されているか部品実装装置の動作状態を検証してモニタリングする統合管理装置と、を含み、
前記検証の後に、前記座標補正データは、前記検証の結果のデータをもとに修正され第３座標を生成し、修正された前記第３座標は、前記部品実装装置に送信される、
ことを特徴とする部品実装システム。
【請求項４】
前記部品実装システムは、
リフローされた部品の実装状態を検査して第２測定データを生成する後段実装検査装置をさらに含み、
前記統合管理装置は前記座標補正データ、前記第１測定データ及び第２測定データを比較して、リフローによる前記はんだ及び前記部品の座標変更情報を検証することを特徴とする請求項３に記載の部品実装システム。  
【請求項５】
部品実装装置の動作状態をモニタリングするための検査装置において、
部品の実装状態を測定した第１測定データを通じて実装された部品の不良有無を検査する第１検査部と、
前記部品が部品実装装置によって実装された以降の過程で、はんだ検査装置から補正されて伝送された座標補正データと、前記部品の実装状態を測定した前記第１測定データを比較して、実装された部品が前記座標補正データによる補正位置に実装されているかを検証して前記部品実装装置の動作状態をモニタリングする第１検証部と、を含み、
前記座標補正データははんだが塗布された基板の測定を通じて獲得した前記はんだの第１座標に関する座標情報を基準座標情報と比較して生成したデータである第２座標であり、
前記検証の後に、前記座標補正データである前記第２座標は、前記検証の結果のデータをもとに修正され第３座標を生成し、修正された前記第３座標は、前記部品実装装置に送信される、
ことを特徴とする検査装置。
【請求項６】
前記座標補正データはパッドの座標と前記はんだの座標との差異に該当するオフセット値であることを特徴とする請求項５に記載の検査装置。
【請求項７】
前記パッドの座標及び前記はんだの座標は、それぞれ前記パッド及び前記はんだの中心座標であることを特徴とする請求項６に記載の検査装置。
【請求項８】
前記第１測定データは、
前記座標補正データに基づいて前記はんだの位置に前記部品を実装する部品実装装置から移送された基板に対する検査結果であることを特徴とする請求項５に記載の検査装置。
【請求項９】
部品実装装置とリフロー装置のうち少なくとも一つの動作状態をモニタリングするための検査装置であって、
リフローされた部品の実装状態を測定した第２測定データを通じて前記リフローされた部品の不良有無を検査する第２検査部と、
前記部品が部品実装装置によって実装された以降の過程で、はんだ検査装置から補正されて伝送された座標補正データ、部品の実装状態を検査する前段実装検査装置から前記部品の実装状態が測定され伝送された第１測定データと、前記リフローされた部品の実装状態を測定した前記第２測定データを比較して、リフローによる前記はんだ及び前記部品の座標変更情報を検証し、前記部品実装装置及び前記リフロー装置のうち少なくとも一つの動作状態をモニタリングする第２検証部と、を含み、
前記座標補正データははんだが塗布された基板の測定を通じて獲得した前記はんだの第１座標に関する座標情報を基準座標情報と比較して生成したデータである第２座標であり、
前記検証の後に、前記座標補正データである前記第２座標は、前記検証の結果のデータをもとに修正され第３座標を生成し、修正された前記第３座標は、前記部品実装装置に送信される、
ことを特徴とする検査装置。
【請求項１０】
前記座標補正データはパッドの座標と前記はんだの座標との差異に該当するオフセット値であり、
前記パッドの座標及び前記はんだの座標はそれぞれ前記パッド及び前記はんだの中心座標であることを特徴とする請求項９に記載の検査装置。
【請求項１１】
前記第１測定データは、
前記座標補正データに基づいて前記はんだの位置に前記部品を実装する部品実装装置から移送された基板に対する検査結果であることを特徴とする請求項９に記載の検査装置。
【請求項１２】
部品実装装置の動作状態をモニタリングするための検査装置において、
はんだが塗布された基板の測定を通じて前記はんだの塗布状態に対する不良有無を検査し、測定を通じて獲得した前記はんだの第１座標に関する座標情報を基準座標情報と比較して補正された座標補正データである第２座標を生成し、前記第２座標を部品実装装置で伝送する検査部と、
部品が前記第２座標に実装された以降の過程で、前記部品の実装状態を検査する前段実装検査装置から伝送された第１測定データ、リフローされた部品の実装状態を検査する後段実装検査装置から伝送された第２測定データ及び前記座標補正データのうち少なくとも２個のデータを比較して、実装された部品が前記第２座標による補正位置に実装された部品実装装置の動作状態を検証して前記部品実装装置の動作状態をモニタリングする検証部と、を含み、
前記検証の後に、前記座標補正データは、前記検証の結果のデータをもとに修正され第３座標を生成し、修正された前記第３座標は、前記部品実装装置に送信される、
ことを特徴とする検査装置。
【請求項１３】
前記座標補正データはパッドの座標と前記はんだの座標との差異に該当するオフセット値であり、
前記パッドの座標及び前記はんだの座標はそれぞれ前記パッド及び前記はんだの中心座標であることを特徴とする請求項１２に記載の検査装置。
【請求項１４】
前記第１測定データは、
前記座標補正データに基づいて前記はんだの位置に前記部品を実装する部品実装装置から移送された基板に対する検査結果であることを特徴とする請求項１２に記載の検査装置。
【請求項１５】
前記検証部は前記座標補正データと前記第１測定データを比較して、実装された部品が前記座標補正データによる補正位置に実装されているかを検証することを特徴とする請求項１２に記載の検査装置。
【請求項１６】
前記検証部は前記座標補正データと、前記第１測定データ及び前記第２測定データのうち少なくとも一つを比較して、リフローによる前記はんだ及び前記部品の座標変更情報を検証することを特徴とする請求項１２に記載の検査装置。
【発明の詳細な説明】
【技術分野】
【０００１】
本発明は検査装置及びそれを有する部品実装システムに関わり、より詳細には部品実装工程中に用いられる検査装置間のデータ連動を通じて部品実装工程の信頼性を検証することのできる検査装置及びそれを有する部品実装システムに関する。
【背景技術】
【０００２】
一般的に、印刷回路基板上に電子部品を実装する部品実装工程はスクリーンプリンター装置を通じて印刷回路基板のパッド上にはんだを塗布し、表面実装技術（Surface  Mount  Technologu：ＳＭＴ）を用いた部品実装装置を通じてはんだが塗布された印刷回路基板上に電子部品を予備的に実装した後、リフロー装置を通じてはんだを溶融させて電子部品を完全に実装させる順序で進行される。
【０００３】
また、部品実装工程はスクリーンプリンター装置の後段に設置されたはんだ検査装置を通じてはんだの塗布状態を検査するはんだ検査工程と、部品実装装置の後段に設置された第１実装検査装置を通じて電子部品の実装状態を検査する第１実装検査工程、及びリフロー装置の後段に設置された第２実装検査装置を通じてリフローされた電子部品の実装状態を検査する第２実装検査工程と、を含んでいてもよい。
【０００４】
一方、はんだが塗布された印刷回路基板上に電子部品を実装することにおいて、部品実装装置にははんだ検査装置から伝送された座標情報を参照して電子部品を実装する技術などが適用されている。  
【０００５】
しかし、現在の部品実装工程上には前記した機能が工程上でまともに適用されているかを精密に検証する方法のない状態であるので、工程管理者から部品実装装置の遂行機能にたいする精密検証技術の必要性が要求されている実情である。
【発明の概要】
【発明が解決しようとする課題】
【０００６】
従って、本発明はこのような技術的課題を解決するためのものであって、本発明は部品実装工程中に利用される検査装置間のデータ連動を通じて部品実装工程の信頼性を検証することのできる検査装置及びそれを有する部品実装システムを提供する。
【課題を解決するための手段】
【０００７】
本発明の一特徴による部品実装システムは、はんだが塗布された基板の測定を通じて獲得した前記はんだの座標情報を基準座標情報と比較して座標補正データを生成するはんだ検査装置と、部品実装装置で前記座標補正データに基づいて部品の実装された場合、前記部品の実装状態を測定した第１測定データと前記座標補正データを比較して、実装された部品が前記座標補正データによる補正位置に実装されているかを検証する第１実装検査装置と、を含む。
【０００８】
前記部品実装システムは、リフローされた部品の実装状態を測定した第２測定データ、前記座標補正データ及び前記第１測定データを比較して、リフローによる前記はんだ及び前記部品の座標変更情報を検証する第２実行検査装置をさらに含んでいてもよい。
【０００９】
本発明の他の特徴による部品実装システムは、はんだが塗布された基板の測定を通じて獲得した前記はんだの座標情報を基準座標情報と比較して座標補正データを生成するはんだ検査装置と、部品の実装状態を検査して第１測定データを生成する前段実装検査装置と、前記座標補正データ及び前記第１測定データを比較して部品実装装置の動作状態を検証する統合管理装置と、を含む。
【００１０】
前記部品システムは、リフローされた部品の実装状態を検査して第２測定データを生成する後段実装検査装置をさらに含み、前記統合管理装置は前記座標補正データ、前記第１測定データ及び第２測定データを比較して、リフローによる前記はんだ及び前記部品の座標変更情報を検証することができる。  
【００１１】
本発明の一特徴による検査装置は、部品の実装状態を測定した第１測定データを通じて実装された部品の不良有無を検査する第１検査部と、はんだ検査装置から伝送された座標補正データと、前記第１測定データを比較して、実装された部品が前記座標補正データによる補正位置に実装されていかを検証する第１検証部と、を含み、
前記座標補正データははんだが塗布された基板の測定を通じて獲得した前記はんだの座標情報を基準座標情報と比較して生成したデータである。
【００１２】
前記座標補正データは前記パッドの座標と前記はんだの座標との差異に該当するオフセット値であってもよい。前記パッドの座標及び前記はんだの座標は、前記パッド及び前記はんだの中心座標であってもよい。
【００１３】
前記第１測定デーはは、前記座標補正データに基づいて前記はんだの位置に前記部品を実装する部品実装装置から移送された基板に対する検査結果である。
【００１４】
本発明の他の特徴による検査装置は、リフローされた部品の実装状態を測定した第２測定データを通じて前記リフローされた部品の不良有無を検査する第２検査部と、はんだ検査装置から伝送された座標補正データ、部品の実装状態を検査する前段実装装置から伝送された第１測定データと、前記第２測定データを比較して、リフローによる前記はんだ及び前記部品の座標変更情報を検証する第２検証部と、を含み、前記座標補正データははんだが塗布された基板の測定を通じて獲得した前記はんだの座標情報を基準座標情報と比較して生成したデータである。
【００１５】
前記座標補正データは前記パッドの座標と前記はんだの座標との差異に該当するオフセット値であり、前記パッドの座標及び前記はんだの座標はそれぞれ前記パッド及び前記はんだの中心座標であってもよい。
【００１６】
前記第１測定データは、前記座標補正データに基づいて前記はんだの位置に前記部品を実装する部品実装装置から移送された基板に対する検査結果である。
【００１７】
本発明のさらに他の特徴による検査装置は、はんだが塗布された基板の測定を通じて前記はんだの塗布状態に対する不良有無を検査し、測定を通じて獲得された前記はんだの座標情報を基準座標情報と比較して座標補正データを生成する検査部と、部品の実装状態を検査する前段実装検査装置から伝送された第１測定データ、リフローされた部品の実装状態を検査する後段実装検査装置から伝送された第２測定データ及び前記座標補正データのうち少なくとも２個のデータを比較して、部品実装装置の動作状態を検証する検証部と、を含む。
【００１８】
前記座標補正データは前記パッドの座標と前記はんだの座標との差異に該当するオフセット値であり、前記パッドの座標及び前記はんだの座標はそれぞれ前記パッド及び前記はんだの中心座標である。
【００１９】
前記第１測定データは、前記座標補正データに基づいて前記はんだの位置に前記部品を実装する部品実装装置から移送された基板に対する検査結果である
【００２０】
前記検証部は前記座標補正データと前記第１測定データを比較して、実装された部品が前記座標補正データによる補正位置に実装されているかを検証することができる。
【００２１】
前記検証部は前記座標補正データと、前記第１測定データ及び前記第２測定データのうち少なくとも一つを比較して、リフローによる前記はんだ及び前記部品の座標変更情報を検証することができる。
【発明の効果】
【００２２】
このような検査装置及びそれを有する部品実装システムによると、部品実装工程において、はんだ検査装置から伝送される座標補正データに基づいて座標補正されたはんだの位置に部品を実装する機能が適用される場合、第１実装検査装置及び第２実装検査装置に部品実装装置の遂行機能に対する検証機能を追加することで、工程段階別に部品実装装置の動作状態をモニタリングすることができ、部品実装装置の誤動作分析を通じて部品実装工程全般に渡って安定的な統制が可能となる。
【図面の簡単な説明】
【００２３】
【図１】本発明の一実施形態による部品実装システムを示す構成図である。
【図２】本発明の一実施形態によるはんだの塗布状態を示す図面である。
【図３】部品実装装置を通じた部品の実装状態を示す図面である。
【図４】本発明の一実施形態による第１実装検査装置の構成を示すブロック図である。
【図５】本発明の一実施形態によるリフロー工程後の部品実装状態を示す図面である。
【図６】本発明の一実施形態による実装部品検査方法を示す流れ図である。
【発明を実施するための形態】
【００２４】
本発明は多様な変更を加えることができ、多様な形態を有することできる。ここでは、特定の実施形態を図面に例示し本文に詳細に説明する。しかし、これは本発明を特定の開示形態に限定するものではなく、本発明の思想及び技術範囲に含まれる全ての変更、均等物乃至代替物を含むこととして理解されるべきである。
【００２５】
第１、第２などの用語は多用な構成要素を説明するのに使用されることがあるが、前記構成要素は前記用語によって限定解釈されない。前記用語は一つの構成要素を他の構成要素から区別する目的のみとして使用される。例えば、本発明の権利範囲を外れることなく第１構成要素を第２構成要素ということができ、類似に第２構成要素も第１構成要素ということができる。
【００２６】
本出願において使用した用語は単なる特定の実施形態を説明するために使用されたもので、本発明を限定しようとする意図ではない。単数の表現は文脈上明白に示さない限り、複数の表現を含む。本出願において、「含む」または「有する」などの用語は明細書に記載された特徴、数字、ステップ、段階、動作、構成要素、部品またはこれらを組み合わせたものが存在することを意味し、一つまたはそれ以上の他の特徴や数字、ステップ、段階、動作、構成要素、部品またはこれらを組み合わせたものの存在または付加可能性を予め排除しないこととして理解されるべきである。
【００２７】
特別に定義されない限り、技術的か科学的な用語を含むここで使用されるすべての用語は本発明が属する技術分野で通常の知識を有した者によって一般的に理解されるのと同一の意味を有する。
【００２８】
一般的に使用される辞書に定義されているのと同じ用語を関連技術の文脈上有する意味と一致する意味を有すると解釈されるべきであり、本出願において明白に定義されない限り、理想的か過度に形式的意味で解釈されない。
【００２９】
添付されたブロック図の各ブロックと流れ図の各段階の組合はコンピュータープログラムインストラクションによって遂行されてもよい。これらコンピュータープログラムインストラクションは凡庸コンピューター、特殊用コンピューターまたはその他のプログラム可能であるデータプロセッシング装置のプロセッサに搭載できるので、コンピューターまたはその他のプログラム可能なデータプロセッシング装置のプロセッサを通じて遂行されるそのインストラクションがブロック図の各ブロックまたは流れ図の各段階において説明された機能を遂行する手段を生成するようになる。これらコンピュータープログラムインストラクションは特定方式で機能を具現するためにコンピューターまたはその他のプログラム可能なデータプロセッシング装置を志向することのできるコンピューター利用可能またはコンピューター判読可能メモリーに貯蔵されることも可能であるので、そのコンピューター利用可能またはコンピューター判読可能メモリーに貯蔵されたインストラクションはブロック図の各ブロックまたは流れ図の各段階で説明された機能を遂行するインストラクション手段を内包する製造品目を生成することも可能である。コンピュータープログラムインストラクションはコンピューターまたはその他のプログラム可能なデータプロセッシング装置上に搭載されることも可能であるので、コンピューターまたはその他のプログラム可能なデータプロセッシング装置上で一連の動作段階が遂行されてコンピューターで実行されるプロセッサを生成してコンピューターまたはその他のプログラム可能なデータプロセッシング装置を遂行するインストラクションはブロック図の各ブック及び流れ図の各段階で説明された機能を実行するための段階を提供することも可能である。
【００３０】
また、各ブロックまたは各段階は特定された論理的機能を実行するための一つ以上の実行可能であるインストラクションを含むモジュール、セグメントまたはコードの一部を示すことができる。また、幾つかの代替実施形態においてブロックまたは段階で言及された機能が順序を外れて発生することも可能であることを注目しなければならない。例えば、続いて示されている二つのブロックまたは段階は実質的に同時に遂行されることも可能でありまたそのブロックまたは段階が時々該当する機能によって逆順で遂行されることも可能である。
【００３１】
以下、図面を参照して本発明の好適な一実施形態をより詳細に説明する。
【００３２】
図１は本発明の一実施形態による部品実装システムを示す構成図である。
【００３３】
図１を参照すると、本発明の一実施形態による部品実装システム１００は基板のパッド上にはんだを塗布するスクリーンプリンター装置１１０、はんだが塗布された基板上に部品を実装する部品実装装置１３０及び部品が実装された基板をリフローさせるリフロー装置１５０を含む。また、部品実装システム１００はスクリーンプリンター装置１１０と部品実装装置１３０の間に設置され、はんだの塗布状態を検査するはんだ検査装置１２０、部品実装装置１３０とリフロー装置１５０との間に設置されて部品の実装状態を検査する第１実装検査装置（１４０、前段実装検査装置）、及びリフロー装置１５０の後段に設置されてリフローされた部品の実装状態を検査する第２実装検査装置（１６０、後段実装検査装置）を含む。
【００３４】
スクリーンプリンター装置１１０は印刷回路基板などのパッド上にはんだを塗布するための装置で、パッドの位置に対応して開口部が形成されたステンシルマスクを基板上に配置した状態ではんだを塗布して基板のパッド上にはんだを塗布することができる。
【００３５】
はんだ検査装置１２０はスクリーンプリンター装置１１０から移送された基板を測定してはんだの塗布状態を検査する。例えば、はんだ検査装置１２０は基板上に塗布されたはんだの２次元または３次元形状情報などを獲得した後、それら情報を用いてはんだの
過納、未納、誤納などの不良有無を検査する。
【００３６】
一方、はんだ検査装置１２０ははんだの塗布状態に対する不良有無を検査するのとは別途に、部品実装工程、第１実装検査工程及び第２実装検査工程などの後段工程で使用される座標補正データを生成して後段装置に伝送する機能を具備し、後段装置から検査及び検証結果情報などの伝送を受けることができる。
【００３７】
このようなデータ連動のために、部品実装システム１００内の各装置間には有無線ネットワーク連動を通じてデータの送受信が可能となるように具現される。
【００３８】
図２は本発明の一実施形態によるはんだの塗布状態を示す図面である。
【００３９】
図１及び図２を参照すると、はんだ検査装置１２０ははんだ２３０が塗布された基板２１０の測定を通じてはんだ２３０の座標情報を獲得し、獲得したはんだ２３０の座標情報と基準座標情報とを比較して座標補正データを生成する。ここで、前記基準座標情報は基板に対するサイズ情報、基準（fiducial） 情報、パッド情報、比較対象基板のイメージ情報、はんだの体積情報及び高さ情報、検査条件設定情報のうち少なくとも一つに基づいて設定されてもよい。また、前記基準座標情報は既設定されてもよく、測定されてもよい。
【００４０】
一実施形態として、前記座標情報データはパッド２２０とはんだ２３０との間の捩れた程度を示す情報として、パッド２２０の座標Ａとはんだ２３０の座標Ｂとの差異に該当するオフセット値からなってもよい。例えば、前記座標補正データはパッド２２０のＸ座標ｘ１とはんだ２３０のＸ座標ｘ２との差異に該当するＸオフセット値ｄｘと、パッド２２０のＹ座標ｙ１とはんだ２３０のＹ座標ｙ２との差異に該当するＹオフセット値ｄｙを含む。また、前記座標補正データはパッド２２０に対するはんだ２３０の回転角度を示す回転情報をさらに含んでいてもよい。
【００４１】
一方、パッド２２０及びはんだ２３０の座標を求めるにおいて、パッド２２０及びはんだ２３０の中心座標を座標値として設定してもよい。その他にも、パッド２２０及びはんだ２３０の座標はパッド２２０及びはんだ２３０の角座標または任意の一辺に対する中間位置などの任意の一点で設定されてもよい。また、パッド２２０及びはんだ２３０がそれぞれ一対で形成される場合、一対の中心位置をパッド２２０及びはんだ２３０の座標で設定してもよい。
【００４２】
はんだ検査装置１２０はこのような方法で生成した前記座標補正データを有線またま無線通信方式で連結された部品実装装置１３０、第１実装検査装置１４０及び第２実装検査装置１６０に伝送する。
【００４３】
部品実装装置１３０ははんだ検査装置１２０の後段に設置され、はんだが塗布された基板上に部品を実装する。
【００４４】
図３は部品実装装置を通じた部品の実装状態を示す図面である。
【００４５】
図１及び図３を参照すると、部品実装装置１３０ははんだ２３０が塗布された基板２１０上に部品２４０を実装することにおいて、はんだ検査装置１２０から伝送された前記座標補正データに基づいて部品２４０を実装する。
【００４６】
具体的に、部品実装装置１３０ははんだ検査装置１２０から伝送された前記座標補正データに基づいて、パッド２２０の位置の代わりはんだ２３０の位置に対応して補正された座標に部品２４０を実装する。即ち、部品実装装置１３０は本来の実装位置を基準で、図２に示されたようにＸ方向にｄｘ、Ｙ方向にｄｙ分だけ捩れた位置に部品２４０を実装する。
【００４７】
このように、部品２４０を実装することにおいて、はんだ検査装置１２０から伝送された前記座標補正データに基づいてはんだ２３０の位置に部品２４０を実装する技術を適用すると、リフロー工程ではんだ２３０が溶融されて凝固されながらはんだ２３０と部品２４０がパッド２２０の位置に復帰するようになって部品実装工程の信頼性が向上される。
【００４８】
第１実装検査装置１４０は部品実装装置１３０の後段に設置され、部品の実装状態を検査する。
【００４９】
図４は本発明の一実施形態による第１実装検査装置の構成を示すブロック図である。
【００５０】
図１及び図４を参照すると、第１実装検査装置１４０は通信部４１０、測定部４２０、第１検査部４３０及び第１検証部４４０を含んでいてもよい。
【００５１】
通信部４１０ははんだ検査装置１２０と有無線通信方式を通して連結され、はんだ検査装置１２０から前記座標補正データ及び測定データなどの情報を伝送を受け、第１検証部４４０から生成された検証データをはんだ検査装置１２０に伝送してもよい。
【００５２】
測定部４２０は測定しようとする基板に向かって光照射する照明装置と基板の画像を測定するためのカメラなどを含み、基板に実装された部品の実装状態を２Ｄまたは３Ｄ方式で測定して第１測定データを生成する。
【００５３】
第１検査部４３０は測定部４２０を通じて部品の実装状態を測定した前記第１測定データに基づいて実装された部品の冷はんだ、ずれなどの不良有無を検査する。
【００５４】
第１検証部４４０は第１検査部４３０の検査とは別途に、部品実装装置１３０の遂行機能がまともに適用されているかを検証する。それのために、第１検証部４４０は測定部４２０で生成された前記第１測定データとはんだ検査装置１２０から伝送された前記座標補正データを比較して、実装された部品２４０が前記座標補正データによる補正位置にまともに実装されているかを検証する。例えば、第１検証部４４０は前記第１測定データから実装された部品２４０の座標情報を獲得し、前記部品２４０の座標情報と前記座標補正データを比較して、部品実装装置１３０で実質的にどれだけ捩れて部品２４０を実装したかを確認する。
【００５５】
このように、第１実装検査装置１４０は第１検証部４４０の検証機能を通じて、部品実装装置１３０の動作状態をモニタリングすることができる。
【００５６】
一方、第１実装検査装置１４０は測定部４２０で測定された前記第１測定データ及び第１検証部４４０で生成された検証データを通信部４１０を通じてはんだ喧噪装置１２０及び第２実装検査装置１６０に伝送することができる。
【００５７】
リフロー装置１５０は第１実装検査装置１４０の後段に設置され、部品が実装された基板に対するリフロー工程を遂行する。
【００５８】
図５は本発明の一実施形態によるリフロー工程後の部品実装状態を示す図面である。
【００５９】
図１及び図５を参照すると、リフロー装置１５０は部品２４０が実装された基板２１０を所定温度で加熱してはんだ２３０を溶融させる。このようなリフロー工程を通じて部品２４０の端子とはんだ２３０が完全に接合される。
【００６０】
リフロー工程によって溶融されたはんだ２３０はパッド２２０の表面に沿って広がる性質を有するので、リフロー工程によってはんだ２３０と部品２４０がパッド２２０の位置に復帰するようになる。
【００６１】
第２実装検査装置１６０はリフロー装置１５０の後段に設置され、リフローされた部品の実装状態を検査する。第２実装検査装置１６０は実質的に第１実装検査装置１４０と同一の構成を有するので、第１実装検査装置１４０の構成を示した図４を参照して第２実装検査装置１６０に対して説明する。
【００６２】
図１、図４及び図５を参照すると、第２実装検査装置１６０は通信部６１０、測定部６２０、第２検査部６３０及び第２検証部６４０を含んでいてもよい。
【００６３】
通信部６１０ははんだ検査装置１２０及び第１実装検査装置１４０と有無線通信方式を通じて連結され、はんだ検査装置１２０から前記座標補正データ及びはんだが塗布された基板の測定データなどの情報の伝送を受け、第１実装検査装置１４０から部品実装基板に対する第１測定データの伝送を受ける。
【００６４】
測定部６２０はリフローされた部品２４０の実装状態を２Ｄまたは３Ｄ方式で測定して第２測定データを生成する。
【００６５】
第２検査部６３０は測定部６２０を通じてリフローされた部品２４０の実装状態を測定した前記第２測定データに基づいてリフローされた部品２４０の冷はんだ、ずれなどの不良有無を検査する。
【００６６】
第２検証部６４０は第２検査部６３０の検査とは別途に、部品実装装置１３０の遂行機能がまともに適用されているかを検証する。それのために、第２検証部６４０は測定部６２０で生成された前記第２測定データ、はんだ検査装置１２０から伝送された前記座標補正データ、及び第１実装検査装置１４０から伝送された前記第１測定データを比較して、リフローによるはんだ２３０及び部品２４０の座標変更情報を検証する。例えば、第２検証部６４０は前記座標補正データ、前記第１測定データ及び前記第２測定データを順次に比較して、部品実装工程及びリフロー工程を経ながらはんだ２３０及び部品２４０の位置がどのように変更されたかを確認する。一方、第２実装検査装置１６０は第２検証部６４０で確認された検証データを通信部６１０を通じてはんだ検査装置１２０及び第１実装検査装置１４０に伝送することができる。
【００６７】
このように、第２実装検査装置１６０は第２検証部６４０の検証機能を通じて部品実装装置１３０及びリフロー装置１５０などの動作状態をモニタリングすることができる。
【００６８】
一方、別途の統合ＤＢ及び管理装置（図示せず）が構成されている場合にははんだ検査装置１２０、第１実装検査装置１４０及び第２実装検査装置１６０は前記座標補正データ、第１測定データ、及び第２測定データを統合ＤＢ及び管理装置に伝送することができる。この場合、統合ＤＢ及び管理装置（図示せず）の送受信部では該当データを受信した後、分析部で前記座標補正データと第１測定データを比較するか、ここで、第２測定データをさらに含んだ比較を通じて検証を遂行することができる。即ち、はんだ検査装置１２０、第１実装検査装置１４０及び第２実装検査装置１６０には検証部が含まれていなくてもよく、この際、統合ＤＢ及び管理装置（図示せず）を通じて各装置の検証部役割を遂行することで、部品実装装置の動作状態を検証することができる。
【００６９】
また、検証結果データをはんだ検査装置１２０に伝送することができる。それを通じてはんだ検査装置１２０は部品実装装置１３０の現在状態によって座標補正データを修正して前記部品実装装置１３０に伝送することができる。
【００７０】
一方、別途の統合ＤＢ及び管理装置が構成されていない場合にははんだ検査装置１２０で検証データに基づいて検証結果データを生成することもできる。即ち、はんだ検査装置１２０も図４に示された実装検査装置のように、通信部、測定部、検査部及び検証部などを含んでいてよい。
【００７１】
このような場合、はんだ検査装置１２０の検証部では第１実装検査装置１４０から伝送された第１測定データと前記座標補正データを比較して、実装された部品２４０が前記座標補正データによる補正位置にまともに実装されているかを検証することができる。また、はんだ検査装置１２０の検証部は第１実装検査装置１４０から伝送された第１測定データ、第２実装検査装置１６０から伝送された第２測定データ及び座標補正データを比較して、リフローによるはんだ２３０及び部品２４０の座標変更情報を検証し、検証されたデータに基づいて座標補正データを修正して部品実装装置１３０に伝送することもできる。
【００７２】
よって、部品実装装置１３０毎に座標補正データを異なるように認識して処理することができるので、該当検証結果に基づいて座標補正データを修正することで、部品実装装置１３０の実装機能に対してより効果的な確認及び検証が可能となる。
【００７３】
一方、第１実装検査装置１４０から伝送受けた第１測定データに基づいて前記座標補正データと比較した結果、部品実装装置１３０が座標補正データを適用して実装していなくてもよい。
【００７４】
それは部品実装装置１３０が前記座標補正データを受信したというアク（ack）信号の受信有無を通じて判断するか、比較した結果データを分析して適用可否を判断することもできる。このような場合検証部は部品実装装置１３０の異常可否を画面上にディスプレーすることができる。
【００７５】
図６は本発明の一実施形態による実装部品検査方法を示す流れ図である。
【００７６】
図１、図２及び図６を参照すると、部品の実装のために、まず、スクリーンプリンター装置１１０を通じて基板２１０のパッド２２０上にはんだ２３０を塗布する。
【００７７】
次に、はんだ検査装置１２０を通じてはんだ２３０が塗布された基板２１０を測定してはんだ２３０の塗布状態に対する不良有無を検査する。また、はんだ検査装置１２０は測定を通じて獲得したはんだ２３０の座標情報と基準座標情報を比較して座標補正データを生成し、前記座標補正データを部品実装装置１３０、第１実装検査装置１４０及び第２実装検査装置１６０に伝送する（Ｓ１１０）。
【００７８】
次に、図１、図３及び図６を参照すると、部品実装装置１３０を通じてはんだ２３０が塗布された基板２１０上に部品２４０を実装する（Ｓ１２０）。この際、部品実装装置１３０ははんだ検査装置１２０から伝送された前記座標補正データに基づいてはんだ２３０の位置に部品２４０を実装する。
【００７９】
次に、第１実装検査装置１４０を通じて部品２４０の実装状態を検査すると同時に、部品実装装置１３０の遂行機能がまともに適用されているかを検証する（Ｓ１３０）。例えば、第１実装検査装置１４０は部品２４０の実装状態を測定した第１測定データに基づいて実装された部品２４０の冷はんだ、ずれなどの不良有無を検査する。また、第１実装検査装置１４０は実装された部品２４０の不良検査とは別途に、前記第１測定データとはんだ検査装置１２０から伝送された前記座標補正データを比較して、実装された部品２４０が前記座標補正データによる補正位置にまともに実装されているかを検証する。また、第１実装検査装置１４０は測定を通じて獲得した前記第１測定データを第２実装検査装置１６０に伝送する。
【００８０】
次に、図１、図５及び図６を参照すると、リフロー装置１５０を通じて部品２４０が実装された基板２１０に対するリフロー工程を遂行する。このようなリフロー工程を通じて、はんだ２３０と部品２４０がパッド２２０の位置に復帰するようになる。
【００８１】
次に、第２実装検査装置１６０を通じてリフローされた部品２４０の実装状態を検査すると同時に、リフロー工程を通じてはんだ２３０及び部品２４０の位置がどのように変更されているかを検証する（Ｓ１４０）。例えば、第２実装検査装置１６０はリフローされた部品２４０の実装状態を測定した第２測定データに基づいてリフローされた部品２４０の冷はんだ、ずれなどの不良有無を検査する。また、第２実装検査装置１６０はリフローされた部品２４０の不良検査とは別途に、前記第２測定データ、はんだ検査装置１２０から伝送された前記座標補正データ、及び第１実装検査装置１４０から伝送された前記第１測定データと比較して、リフローによるはんだ２３０及び部品２４０の座標変更情報を検証する。
【００８２】
このように、部品実装工程において、はんだ検査装置１２０から伝送される座標補正データに基づて座標補正されたはんだの位置に部品を実装する機能が適用される場合、第１実装検査装置１４０及び第２実装検査装置１６０に部品実装装置１３０の遂行機能に対する検証機能を追加することで、工程段階別に部品実装装置１３０の動作状態をモニタリングすることができ、部品実装装置１３０の誤動作分析を通じて部品実装工程全般に渡って安定的な統制が可能となる。
【００８３】
以上、本発明の実施形態によって詳細に説明したが、本発明はこれに限定されず、本発明が属する技術分野において通常の知識を有する者であれば、本発明の思想と精神を離れることなく、本発明を修正または変更できる。
【符号の説明】
【００８４】
１１０：スクリーンプリンター装置
１２０：はんだ検査装置
１３０：部品実装装置
１４０：第１実装検査装置
１５０：リフロー装置
１６０：第２実装検査装置
２２０：パッド
２３０：はんだ
【図１】
0006681397.tif 000002
【図２】
0006681397.tif 000003
【図３】
0006681397.tif 000004
【図４】
0006681397.tif 000005
【図５】
0006681397.tif 000006
【図６】
0006681397.tif 000007